(57)【要約】    【課題】操作者に対して投票用紙の種類の確認作業を促すこと。    【解決手段】装置本体１とコントローラ部９と、を備えており、装置本体１は、内部に、複数枚の投票用紙を重ねた状態で収容する収容部と、収容部において最端に位置する１枚の投票用紙を、収容部から取り出して、搬送して、用紙取出口から突出させる、用紙送出機構と、用紙送出機構の途中から、搬送中の投票用紙を回収する、回収機構と、回収された投票用紙を収容する回収部と、装置全体の作動を制御する制御部と、を有しており、コントローラ部９は、第１確認スイッチ９５を備えており、制御部は、交付１枚目の投票用紙を回収部へ強制的に回収し、用紙送出機構を作動禁止状態に設定し、外部に対して警告を発するようになっており、第１確認スイッチ９５が押されると、警告及び作動禁止状態を解除するようになっている、ことを特徴としている。【選択図】図１
2015146114.tif 000002
【特許請求の範囲】
【請求項１】
投票用紙を用紙取出口から１枚ずつ交付する投票用紙交付装置において、
開閉蓋を有する装置本体と、前記装置本体に接続されたコントローラ部とを、一体に又は別体に、備えており、
前記装置本体は、内部に、
複数枚の投票用紙を重ねた状態で収容する収容部と、
前記収容部において最端に位置する１枚の投票用紙を、前記収容部から取り出して、搬送して、前記用紙取出口から突出させる、用紙送出機構と、
前記用紙送出機構の途中から、搬送中の投票用紙を回収する、回収機構と、
回収された投票用紙を収容する回収部と、
装置全体の作動を制御する制御部と、
を有しており、
前記開閉蓋は、前記回収部に収容された投票用紙を外部から視認できるように構成されており、
前記装置本体又は前記コントローラ部は、第１確認スイッチを備えており、
前記制御部は、
前記コントローラ部からの信号を受けて、前記用紙送出機構を作動させる、送出制御部と、
交付１枚目の投票用紙を回収するように、前記回収機構を制御する、強制リジェクト部と、
前記強制リジェクト部の作動に伴って、外部に対する警告を発する、警告部と、
前記強制リジェクト部の作動後に、前記用紙送出機構を作動禁止状態に設定する、禁止部と、
前記第１確認スイッチが押されると、前記警告部による前記警告、及び、前記禁止部による前記作動禁止状態、を解除する、解除部と、
を有している、
ことを特徴とする投票用紙交付装置。
【請求項２】
前記強制リジェクト部は、装置の電源を立ち上げた後に最初に前記収容部から取り出される投票用紙を、交付１枚目の投票用紙として回収するように、前記回収機構を制御するようになっている、
請求項１記載の投票用紙交付装置。
【請求項３】
前記強制リジェクト部は、前記開閉蓋を開閉した後に最初に前記収容部から取り出される投票用紙を、交付１枚目の投票用紙として回収するように、前記回収機構を制御するようになっている、
請求項１又は２に記載の投票用紙交付装置。
【請求項４】
前記装置本体又は前記コントローラ部が、表示ランプを備えており、
前記警告部は、前記表示ランプをオンすることによって前記警告を発するようになっている、
請求項１乃至３のいずれか一つに記載の投票用紙交付装置。
【請求項５】
前記第１確認スイッチが、前記表示ランプを兼ねている、
請求項４記載の投票用紙交付装置。
【請求項６】
前記装置本体が、内部に、前記収容部又は前記回収部を照らす照明具を、備えており、
前記警告部は、前記照明具をオンすることによって前記警告を発するようになっている、
請求項１乃至５のいずれか一つに記載の投票用紙交付装置。
【請求項７】
前記装置本体又は前記コントローラ部が、表示パネルを備えており、
前記警告部は、前記表示パネルに警告を表示することによって前記警告を発するようになっている、
請求項１乃至６のいずれか一つに記載の投票用紙交付装置。
【請求項８】
前記装置本体又は前記コントローラ部が、表示パネルを備えており、
前記解除部は、前記表示パネルに、選挙種別に対応する文章を表示させるようになっている、
請求項１乃至６のいずれか一つに記載の投票用紙交付装置。
【請求項９】
前記装置本体又は前記コントローラ部が、音又は音声を発生する第１音発生部を、備えており、
前記警告部は、前記第１音発生部を作動させることによって前記警告を発するようになっている、
請求項１乃至８のいずれか一つに記載の投票用紙交付装置。
【請求項１０】
前記装置本体又は前記コントローラ部が、第２確認スイッチを備えており、
前記解除部は、前記第２確認スイッチも押された場合に、作動するようになっている、
請求項１乃至９のいずれか一つに記載の投票用紙交付装置。
【請求項１１】
前記解除部は、前記第２確認スイッチが押された後に前記第１確認スイッチが押された場合のみに、作動するようになっている、
請求項１０記載の投票用紙交付装置。
【請求項１２】
前記解除部は、前記第１確認スイッチが所定時間以上押され続けた場合のみに、作動するようになっている、
請求項１乃至１１のいずれか一つに記載の投票用紙交付装置。
【請求項１３】
前記解除部は、前記警告部が作動して所定時間経過した後に前記第１確認スイッチが押された場合のみに、作動するようになっている、
請求項１乃至１２のいずれか一つに記載の投票用紙交付装置。
【請求項１４】
前記装置本体又は前記コントローラ部が、音又は音声を発生する第２音発生部を、備えており、
前記解除部は、前記第１確認スイッチが押されると、前記第２音発生部を作動させるようになっている、
請求項１乃至１３のいずれか一つに記載の投票用紙交付装置。
【請求項１５】
前記第２音発生部は、選挙種別に対応した音声を発生するようになっている、
請求項１４記載の投票用紙交付装置。
【発明の詳細な説明】
【技術分野】
【０００１】
本発明は、投票用紙を投票者に交付するための投票用紙交付装置に関するものである。
【背景技術】
【０００２】
投票用紙交付装置は、投票用紙を自動で計数しながら確実に１枚ずつ交付できるので、選挙において有効に利用されており、特に、複数の選挙が同時に実施される場合に有効に利用されている。そして、複数の選挙が同時に実施される場合には、投票用紙は、複数種類あり、種類毎に、対応する交付装置にセットされる。
【０００３】
ところで、投票用紙を種類毎に対応する交付装置にセットする作業は、操作者が投票用紙の種類を目視で確認しながら行っていた。投票用紙の種類は、例えば、投票用紙に記載されている選挙の種類名や投票用紙の色によって、目視で確認できる。
【０００４】
しかしながら、操作者は、投票用紙に記載されている選挙の種類名や投票用紙の色を目視で正確に確認しても、間違った交付装置に投票用紙をセットすることがあった。この場合、投票用紙の誤交付が生じる。
【０００５】
そこで、投票用紙の誤交付を防止するために、特許文献１に記載の装置が提案されている。その装置では、選挙の種類に応じたマークが予め付された投票用紙が使用され、投票用紙が交付装置から交付される際に、マークを認識して、投票用紙の種類を確認するようになっている。
【先行技術文献】
【特許文献】
【０００６】
【特許文献１】特開平６−２１５２１８号公報
【発明の概要】
【発明が解決しようとする課題】
【０００７】
特許文献１の装置では、投票用紙に予めマークを付しておく必要がある。しかも、投票用紙の仕様には一定の制約があるため、その制約内で、マークを検出するための機械仕様を設定することは、容易ではない。それ故、特許文献１の装置は、実用性に乏しい。
【０００８】
ところで、操作者が、交付装置を作動させて交付作業を始める前に、再度、セットされている投票用紙の種類を確認すれば、投票用紙の誤交付を防止できる、と考えられる。しかしながら、操作者がそのような確認作業を怠る恐れは大きい。
【０００９】
そこで、本発明者らは、操作者に対してそのような確認作業を促すための手段を、交付装置に設けることを、検討した。
【００１０】
本発明は、操作者に対して投票用紙の種類の確認作業を促すことができ、それ故に、投票用紙の誤交付を防止でき且つ実用性がある、投票用紙交付装置を、提供すること、を目的としている。
【課題を解決するための手段】
【００１１】
本発明は、投票用紙を用紙取出口から１枚ずつ交付する投票用紙交付装置において、開閉蓋を有する装置本体と、前記装置本体に接続されたコントローラ部とを、一体に又は別体に、備えており、前記装置本体は、内部に、複数枚の投票用紙を重ねた状態で収容する収容部と、前記収容部において最端に位置する１枚の投票用紙を、前記収容部から取り出して、搬送して、前記用紙取出口から突出させる、用紙送出機構と、前記用紙送出機構の途中から、搬送中の投票用紙を回収する、回収機構と、回収された投票用紙を収容する回収部と、装置全体の作動を制御する制御部と、を有しており、前記開閉蓋は、前記回収部に収容された投票用紙を外部から視認できるように構成されており、前記装置本体又は前記コントローラ部は、第１確認スイッチを備えており、前記制御部は、前記コントローラ部からの信号を受けて、前記用紙送出機構を作動させる、送出制御部と、交付１枚目の投票用紙を回収するように、前記回収機構を制御する、強制リジェクト部と、前記強制リジェクト部の作動に伴って、外部に対する警告を発する、警告部と、前記強制リジェクト部の作動後に、前記用紙送出機構を作動禁止状態に設定する、禁止部と、前記第１確認スイッチが押されると、前記警告部による前記警告、及び、前記禁止部による前記作動禁止状態、を解除する、解除部と、を有している、ことを特徴としている。
【発明の効果】
【００１２】
本発明によれば、交付１枚目の投票用紙を回収部へ強制的に回収し、用紙送出機構を作動禁止状態に設定し、外部に対して警告を発するので、操作者に対して、回収された投票用紙の種類の確認作業、すなわち、その結果として、セットされている投票用紙の種類の確認作業を、促すことができる。これにより、操作者は、収容部にセットされている投票用紙の種類を積極的に確認し、投票用紙の種類が「誤り」である場合には、「正しい」種類の投票用紙と交換するようになる。したがって、投票用紙の誤交付を防止できる。
【００１３】
また、本発明によれば、操作者が第１確認スイッチを押さない場合には、解除部は作動せず、したがって、交付装置は、交付作業を実施できる状態にはならない。したがって、操作者は、交付作業を実施しようとする際には、必ず、第１確認スイッチを押すこととなり、その前提として、回収された投票用紙の種類の確認作業を行うこととなる。この点からも、操作者に対して、回収された投票用紙の種類の確認作業を促すことができる。
【図面の簡単な説明】
【００１４】
【図１】本発明の一実施形態による投票用紙交付装置の外観斜視図である。
【図２】図１のII−II断面図である。
【図３】開閉蓋が開いた状態の装置本体の外観斜視図である。
【図４】本実施形態による投票用紙交付装置の制御部のブロック図である。
【図５】本実施形態による投票用紙交付装置の作動を示すフローチャートである。
【図６】変形構成を採用した投票用紙交付装置の外観斜視図である。
【発明を実施するための形態】
【００１５】
図１は、本発明の投票用紙交付装置の外観斜視図である。図２は、図１のII−II断面図である。この交付装置１０は、装置本体１とコントローラ部９とからなっている。ここでは、装置本体１とコントローラ部９とは、別体に設けられている。
【００１６】
装置本体１は、略直方体形状の筐体であり、開閉蓋１１１を有している。図３は、開閉蓋１１１が開いた状態の装置本体１の外観斜視図である。開閉蓋１１１は、装置本体１の上壁１１の略後半部と後壁１５の上部とが一体となって構成されている。開閉蓋１１１は、前縁部１１２を支点として、上下に回動することにより、開閉するようになっている。
【００１７】
装置本体１は、内部に、複数枚の投票用紙を収容する収容部２と、収容部２において最端に位置する１枚の投票用紙を、収容部２から取り出して、搬送路３１を通して搬送して、用紙取出口３２から突出させる、用紙送出機構３と、用紙送出機構３の途中から、搬送中の投票用紙を回収する、回収機構４と、回収された投票用紙を収容する回収部５と、を有している。開閉蓋１１１は、回収部５の一部及び収容部２の全部を覆っている。開閉蓋１１１は、外部から収容部２を視認できるように構成されており、具体的には、透明に形成されている。
【００１８】
装置本体１は、後壁１５の片隅に、電源（図示せず）からの通電をオンオフする電源スイッチ１０１と、電源へのコネクタ１０２と、を有している。更に、装置本体１は、装置全体の作動を制御する制御部７０（図４）を有している。図４は、制御部７０のブロック図である。制御部７０は、ＣＰＵ、ＲＯＭ、ＲＡＭ等により、実現されている。
【００１９】
コントローラ部９は、コード９１を介して、装置本体１の制御部７０に接続されており、制御部７０に制御信号を送信するようになっている。コントローラ部９は、操作キー９２、９３、表示パネル９４、及び第１確認スイッチ９５を有している。
【００２０】
第１確認スイッチ９５は、押されることによってスイッチオンするようになっている。また、第１確認スイッチ９５は、表示ランプを構成するＬＥＤと一体となっている。ＬＥＤとしては、赤色ＬＥＤが好ましく用いられている。
【００２１】
収容部２は、複数枚の投票用紙を収容する空間として構成されており、立壁２１と底壁２２と両側壁２３とで囲まれている。立壁２１は、上部が前になるように少し傾斜しており、収容部２と用紙送出機構３とを隔てている。底壁２２は、用紙送出機構３に向けて少し低くなるように傾斜している。投票用紙Ｐは、図２に示されるように、立壁２１に沿うように立てた状態で、且つ、立壁２１側から重ねた状態で、収容部２に収容される。底壁２２には、収容した投票用紙Ｐを立壁２１に向けて押し付ける押さえ部材２５が設けられている。押さえ部材２５は、板体であり、前後方向（矢印Ｙ方向）に移動可能に設けられており、スプリング２６によって立壁２１側へ常時付勢されている。
【００２２】
用紙送出機構３は、操作キー９２又は９３を１回オンすると、次のように１回作動するようになっている。すなわち、図２に示されるように、まず、取出ローラ３３１及び捌き部材３３２によって、収容部２において最も前に（すなわち最端に）位置している投票用紙Ｐが、収容部２から取り出され、搬送路３１へ送り出される。このとき、偏心ローラ３３３が、立壁２１から収容部２内へ周期的に突出するように回転して、重なっている投票用紙Ｐを揺動させるので、投票用紙Ｐ同士の間に隙間が生じ、１枚の投票用紙Ｐが取り出しやすくなる。搬送路３１に送り出された投票用紙Ｐは、搬送ローラ３４１、３４２、３４３によって、用紙取出口３２まで搬送される。投票用紙Ｐは、抜き取り検出部材３５１を回動させながら搬送されて、用紙取出口３２から突出し、回動から復帰した抜き取り検出部材３５１によって、下部が押さえられ、これによって、一部が用紙取出口３２から突出した状態で止まる。なお、抜き取り検出部材３５１は、スプリング（図示せず）によって復帰方向に常時付勢されている。そして、次の投票用紙Ｐの先端が１対のセンサー３６１によって検知されると、全てのローラの作動が停止する。次いで、用紙取出口３２から突出した投票用紙Ｐが、投票者によって抜き取られると、抜き取り検出部材３５１の回動がセンサー３６２によって検知され、装置本体１の前部に内蔵されたスピーカー（第１音発生部）６２から選挙の種類等を告げるアナウンスが流れる。
【００２３】
回収機構４は、搬送路３１内に突出するように回動可能な排除ガイド部材４１を、備えている。排除ガイド部材４１は、搬送路３１内に突出するように回動すると、搬送ローラ３４３との間に、搬送路３１と回収部５とを連通させる通路４０を構成し、それによって、搬送されて来る投票用紙Ｐを搬送路３１から回収部５へ逃がすようになっている。なお、排除ガイド部材４１は、例えば、投票用紙Ｐの重なりがセンサー３６１によって検知されると、回動して搬送路３１内に突出するように、制御部７０によって制御されている。それ故、回収機構４によれば、重なった投票用紙Ｐが用紙取出口３２から突出するのを防止できる。
【００２４】
回収部５は、通路４０を搬送されて来た投票用紙Ｐが積載されていく空間として構成されており、底壁５１と両側壁５３とで囲まれている。底壁５１は、後方向に高くなるように傾斜している。両側壁５３は、例えば、収容部２を構成している両側壁２３と同じ壁である。
【００２５】
また、装置本体１は、内部に、照明具６１を有している。照明具６１は、開閉蓋１１１の前縁部１１２の内面に、設けられており、開閉蓋１１１が閉じた状態で、収容部２及び回収部５を照らすように、配置されている。照明具６１としては、演色性が優れているという観点から、白色ＬＥＤ又は白色系電球が好ましく用いられている。
【００２６】
制御部７０は、図４に示されるように、コントローラ部９からの信号を受けて、用紙送出機構３を作動させる、送出制御部７１と、交付１枚目の投票用紙を回収するように、回収機構４を制御する、強制リジェクト部７２と、強制リジェクト部７２の作動に伴って、外部に対する警告を発する、警告部７３と、強制リジェクト部７２の作動後に、用紙送出機構３を作動禁止状態に設定する、禁止部７４と、第１確認スイッチ９５が押されると、警告部７３による警告、及び、禁止部７４による作動禁止状態、を解除する、解除部７５と、を有している。
【００２７】
強制リジェクト部７２は、装置１の電源を立ち上げた後に（すなわち電源スイッチ１０１をオンした後に）最初に収容部２から取り出される投票用紙Ｐを、種別を確認すべき交付１枚目の投票用紙として強制的に回収するように、回収機構４を制御するようになっている。
【００２８】
警告部７３は、次に示す態様（ａ）〜（ｄ）の内の任意の１つ以上の態様によって、警告を発するようになっている。なお、本実施形態では、全ての態様を採用している。
（ａ）第１確認スイッチ９５の表示ランプをオンすることによって、警告を発する。
（ｂ）照明具６１をオンすることによって、警告を発する。
（ｃ）表示パネル９４に警告を表示することによって、警告を発する。なお、表示する警告は、注意を喚起する記号でもよく、又は、「投票用紙を確認して下さい」等の文章でもよい。
（ｄ）スピーカー６２を作動させることによって、警告を発する。なお、スピーカー６２から発する警告は、ブザー音等でもよく、又は、「投票用紙を確認して下さい」等の音声でもよい。
【００２９】
解除部７５は、次に示す態様（Ａ）〜（Ｃ）の内の任意の１つ以上の態様で作動するようになっている。なお、本実施形態では、全ての態様を採用している。
（Ａ）第１確認スイッチ９５が所定時間以上押され続けた場合のみに、作動する。
（Ｂ）警告部７３が作動して所定時間経過した後に第１確認スイッチ９５が押された場合のみに、作動する。
（Ｃ）第１確認スイッチ９５が押されると、スピーカー（第２音発生部）を作動させる。なお、このスピーカーから発する音は、ブザー音等でもよく、又は、「確認作業が終了しました」及び「交付作業を実施できます」等のいずれの音声でもよい。また、このスピーカーは、スピーカー６２と共用されているが、別でもよい。
【００３０】
上記構成の交付装置１０は、次のように作動する。図５は、その作動を示すフローチャートである。なお、図５中の「Ｓ」は、「ステップ」の意味である。
【００３１】
まず、操作者は、次のようにして、交付装置１０に投票用紙をセットする。
すなわち、まず、操作者は、開閉蓋１１１を開ける。次に、操作者は、複数枚の投票用紙Ｐを重ねた状態で、収容部２にセットする（Ｓ１）。具体的には、操作者は、押さえ部材２５を後方へ移動させ、複数枚の投票用紙Ｐを、立てた状態で且つ立壁２１に沿わせて、底壁２２上に載置し、押さえ部材２５によって前方へ押し付ける。なお、投票用紙Ｐは、記名欄が後方を向くように、セットする。
【００３２】
次に、操作者は、開閉蓋１１１を閉じる。そして、操作者は、電源スイッチ１０１をオンする（Ｓ２）。
【００３３】
電源スイッチ１０１がオンされると、送出制御部７１によって用紙送出機構３が作動するとともに、強制リジェクト部７２によって回収機構４が作動する。これによって、収容部２にセットされた複数枚の投票用紙Ｐの内の、最も前に位置している投票用紙Ｐが、収容部２から取り出され、搬送路３１へ送り出され、排除ガイド部材４１と搬送ローラ３４３との間に構成された通路４０を通って、回収部５へ搬送される（Ｓ３）。すなわち、最端の投票用紙Ｐが、強制的にリジェクトされて、回収部５へ回収される。
【００３４】
また、強制リジェクト部７２の作動に伴って、警告部７３が、次のように作動して、外部に対する警告を発する（Ｓ４）。
（ａ）第１確認スイッチ９５の表示ランプをオンする。
（ｂ）照明具６１をオンする。
（ｃ）表示パネル９４に警告を表示する。
（ｄ）スピーカー６２を作動させる。
【００３５】
更に、強制リジェクト部７２の作動後に、禁止部７４が、用紙送出機構３を作動禁止状態に設定する（Ｓ５）。
【００３６】
これにより、最端の投票用紙Ｐが回収部５へ回収された状態で、用紙送出機構３が停止し、操作者は、警告部７３による警告を受ける。この警告により、操作者は、回収された投票用紙Ｐの種類の確認作業を促され、回収された投票用紙Ｐの種類が「正しい」か「誤り」か、を確認する（Ｓ６）。なお、回収された投票用紙Ｐの種類が「正しい」場合は、収容部２にセットされた投票用紙の種類が「正しい」ことが認められ、回収された投票用紙Ｐの種類が「誤り」である場合は、収容部２にセットされた投票用紙の種類が「誤り」であることが認められる。
【００３７】
操作者は、回収された投票用紙Ｐの種類が「正しい」ことを確認した場合、すなわち、「ＹＥＳ」の場合、第１確認スイッチ９５を押す（Ｓ７）。
【００３８】
第１確認スイッチ９５が押されると、解除部７５が作動して、警告部７３による警告、及び、禁止部７４による作動禁止状態、が解除される（Ｓ８）。この際、解除部７５は、次のように作動する。
（Ａ）第１確認スイッチ９５が所定時間以上押され続けた場合のみに、作動する。この所定時間とは、例えば、２秒間である。
（Ｂ）警告部７３が作動して所定時間経過した後に第１確認スイッチ９５が押された場合のみに、作動する。この所定時間とは、例えば、３秒間である。
（Ｃ）第１確認スイッチ９５が押されると、スピーカー６２を作動させる。
【００３９】
すなわち、警告部７３が作動して所定時間経過した後に、第１確認スイッチ９５が所定時間以上押され続けた場合に、警告部７３による警告、及び、禁止部７４による作動禁止状態、が解除され、その解除を知らせる音又は音声がスピーカー６２から出る。これにより、操作者は、交付装置１０が交付作業を実施できる状態となったことを、知る。
【００４０】
そして、操作者は、交付作業を実施する（Ｓ９）。すなわち、操作者は、投票者が一人来ると、操作キー９２又は９３を１回オンする。このとき、投票者が男性の場合には男性用の操作キー９２をオンし、投票者が女性の場合には女性用の操作キー９３をオンする。
【００４１】
操作キー９２又は９３が１回オンされると、用紙送出機構３が１回作動して、収容部２における最端の投票用紙Ｐが、収容部２から取り出され、搬送路３１を通して搬送されて、用紙取出口３２から突出する。用紙取出口３２から突出した投票用紙Ｐは、投票者によって抜き出され、これにより、投票者の男女別の数が、カウントされて、表示パネル９４に表示される。抜き出された投票用紙Ｐは、投票に使用される。操作キー９２又は９３は、投票者が来る度に、１回オンされ、その度に、用紙送出機構３は、１回作動する。
【００４２】
以上のようにして、投票用紙の交付作業を行う。そして、収容部２にセットした投票用紙Ｐが無くなった場合や少なくなった場合には、操作者は、開閉蓋１１１を開けて、上記と同様に、投票用紙Ｐをセットする（Ｓ１）。
【００４３】
なお、操作者は、回収された投票用紙Ｐが「誤り」であることを確認した場合、すなわち、「ＮＯ」である場合、電源スイッチ１０１をオフし、開閉蓋１１１を開け、収容されている投票用紙Ｐを正しい投票用紙と交換する。その後、操作者は、開閉蓋１１１を閉じて、電源スイッチ１０１をオンする。これにより、前記と同様の作動が行われる（Ｓ３〜Ｓ９）。なお、この場合は、操作者は、電源スイッチ１０１をオフしないで、開閉蓋１１１を開け、収容されている投票用紙Ｐを正しい投票用紙と交換し、開閉蓋１１１を閉じて、第１確認スイッチ９５を押してもよい。これによれば、前記と同様の作動が行われる（Ｓ８〜Ｓ９）。
【００４４】
上記構成の交付装置１０によれば、次のような効果を発揮できる。
【００４５】
（１）交付１枚目の投票用紙Ｐを回収部４へ強制的に回収し、用紙送出機構３を作動禁止状態に設定し、外部に対して警告を発するので、操作者に対して、回収された投票用紙Ｐの種類の確認作業、すなわち、その結果として、セットされている投票用紙Ｐの種類の確認作業を、促すことができる。これにより、操作者は、収容部２にセットされている投票用紙Ｐの種類を積極的に確認し、投票用紙Ｐの種類が「誤り」である場合には、「正しい」種類の投票用紙と交換するようになる。したがって、投票用紙の誤交付を防止できる。
【００４６】
（２）警告が、第１確認スイッチ９５の表示ランプをオンすることであるので、操作者は、手元において警告に気付き易い。また、警告が、照明具６１をオンすることであるので、装置本体１の全体が明るく見えるようになり、操作者は、警告に気付き易い。また、警告が、表示パネル９４に警告を表示することであるので、操作者は、手元において警告に気付き易い。更に、警告が、スピーカー６２を作動させることであるので、操作者は、よそ見をしていても警告に気付き易い。そして、本実施形態では、これらの全ての警告が一緒に出されるので、操作者は、より確実に、警告に気付くこととなる。したがって、操作者に対して、より確実に、回収された投票用紙Ｐの種類の確認作業を促すことができる。
【００４７】
（３）操作者が第１確認スイッチ９５を押さない場合には、解除部７５は作動せず、したがって、交付装置１０は、交付作業を実施できる状態にはならない。したがって、操作者は、交付作業を実施しようとする際には、必ず、第１確認スイッチ９５を押すこととなり、その前提として、回収された投票用紙Ｐの種類の確認作業を行うこととなる。この点からも、操作者に対して、回収された投票用紙Ｐの種類の確認作業を促すことができる。
【００４８】
（４）電源スイッチ１０１がオフの場合には、収容部２の投票用紙を全部入れ替えたり一部補充したりする作業が行われることがあり、誤った種類の投票用紙がセットされる恐れがある。しかるに、本実施形態では、電源スイッチ１０１をオンした後に最初に収容部２から取り出される投票用紙を、交付１枚目の投票用紙として回収するので、操作者に対して、電源オフの場合にセットされた投票用紙の種類の確認作業を確実に促すことができる。
【００４９】
（５）解除部７５が、第１確認スイッチ９５が所定時間以上押され続けた場合のみに、作動するので、操作者が第１確認スイッチ９５を安易に押すのを、防止できる。また、解除部７５が、警告部７３が作動して所定時間経過した後に第１確認スイッチ９５が押された場合のみに、作動するので、この点からも、操作者が第１確認スイッチ９５を安易に押すのを、防止できる。したがって、操作者が警告を受けたにも拘わらず充分な確認をしないままに第１確認スイッチ９５を押してしまうのを、防止できる。
【００５０】
（６）第１確認スイッチ９５が押されると、スピーカー６２が作動するので、操作者は、交付装置１０が交付作業を実施できるようになったことを、耳から容易に認識できる。
【００５１】
（７）第１確認スイッチ９５が表示ランプを兼ねているので、操作者は、警告の意義に気付き易い。この点からも、操作者に対して、回収された投票用紙Ｐの種類の確認作業を促すことができる。
【００５２】
（８）開閉蓋１１１が透明であるので、交付作業中に、収容部２における投票用紙の残り具合を確認できる。したがって、投票用紙を適切な時期に収容部２に補充できる。
【００５３】
（９）照明具６１が、収容部２を照らすように設けられている。したがって、交付装置１０が設置されている室内の照明が、不十分な場合でも、投票用紙を収容部２に適切にセットできる。
【００５４】
（１０）照明具６１が、回収部５を照らすように設けられている。したがって、操作者に対して、投票用紙Ｐの種類の確認場所を明確に示すことができる。しかも、交付装置１０が設置されている室内の照明が、不十分な場合でも、回収された投票用紙Ｐの種類を確認できる。
【００５５】
（１１）照明具６１として、白色ＬＥＤ又は白色系電球を用いているので、自然光に近い光の下で、投票用紙を見ることができる。したがって、投票用紙の色を正確に認識でき、それ故、投票用紙の種類が色によって表されている場合に、投票用紙の種類を正しく認識できる。なお、白色ＬＥＤとしては、三原色系の白色ＬＥＤを用いるのが最も好ましい。
【００５６】
なお、上記構成の交付装置１０は、次のような変形構成を採用してもよい。
【００５７】
（ｉ）装置本体１とコントローラ部９とを、一体に設ける。具体的には、図６に示されるように、コード９１が省かれて、コントローラ部９が装置本体１に合体されている。これによれば、交付装置１０の、搬送、設置、及び保管の各作業が、容易となる。
【００５８】
（ii）強制リジェクト部７２が、開閉蓋１１１を開閉した後に最初に収容部２から取り出される投票用紙を、交付１枚目の投票用紙として回収するように、回収機構４を制御するようになっている。この構成は、上記構成の交付装置１０に加えて採用してもよい。
（iii）警告部７３が、前記（ａ）〜（ｄ）の態様の内の、任意の１つ以上の態様を、採用する。
（iv）解除部７５が、前記（Ａ）〜（Ｃ）の態様の内の、任意の１つ以上の態様を、採用する。
【００５９】
（ｖ）第１確認スイッチを、装置本体１に設ける。
（vi）表示パネル９４を、装置本体１に設ける。
（vii）第１確認スイッチと表示ランプとを、別体で設ける。
【００６０】
（viii）上記構成の交付装置１０に加えて、表示パネル９４に表示された警告を確認した後に押す第２確認スイッチ（図示せず）を、装置本体１又はコントローラ部９に設ける。これによれば、操作者が警告を受けたことを失念するのを防止できる。
【００６１】
そして、第２確認スイッチを設けた場合には、次の構成を採用するのが好ましい。
（viii-1）第１確認スイッチ９５だけでなく第２確認スイッチも押さない限り、解除部７５が作動しない。
（viii-2）第１確認スイッチ９５は、第２確認スイッチを押さない限り、押すことができない。
【００６２】
前記（viii-1）又は（viii-2）によれば、操作者に対して、コントロール部９の表示パネル９４のメッセージの確認を、まず、促すことができ、その結果、回収された投票用紙Ｐの種類の確認作業をより確実に促すことができる。
【００６３】
（ix）開閉蓋１１１が、不透明である。但し、その場合、開閉蓋１１１は、収容部２又は回収部５を視認するための透視窓を、有するのが好ましい。
【００６４】
（ｘ）照明具６１が、開閉蓋１１１を開くと点灯し、閉じると消灯するようになっている。
【００６５】
（xi）開閉蓋１１１を開いて、投票用紙をセットし、開閉蓋１１１を閉じると、警告が出るようにする。
【００６６】
（xii）交付１枚目の投票用紙を強制的にリジェクトすることなく、警告が出るようにする。
【産業上の利用可能性】
【００６７】
本発明の投票用紙交付装置は、操作者に対して投票用紙の種類の確認作業を促すことができるので、投票用紙の誤交付を防止でき、よって、産業上の利用価値が大である。
【符号の説明】
【００６８】
１  装置本体  １１１  開閉蓋  ２  収容部  ３  用紙送出機構  ３２  用紙取出口
４  回収機構  ５  回収部  ６１  照明具  ６２  スピーカー（第１音発生部）
７０  制御部  ７１  送出制御部  ７２  強制リジェクト部  ７３  警告部
７４  禁止部  ７５  解除部  ９  コントローラ部  ９４  表示パネル
９５  第１確認スイッチ  １０  投票用紙交付装置
【図１】
2015146114.tif 000003
【図２】
2015146114.tif 000004
【図３】
2015146114.tif 000005
【図４】
2015146114.tif 000006
【図５】
2015146114.tif 000007
【図６】
2015146114.tif 000008